(57)【要約】【課題】一旦撮像された画像データを最終的に記録媒体に残すかどうかについて、簡単な操作で選択できる撮像装置を提供する。【解決手段】被写体を撮像して記録用画像データを生成し、記録用画像データを記録可能なメモリーカード１０７を着脱可能であり、シャッターボタン１０４とＳＤＲＡＭ１０６とＬＣＤ１０５とを備える。シャッターボタン１０４を半押しすると、ＳＤＲＡＭ１０６は記録用画像を一時に保持する。次に、シャッターボタン１０４が全押しされると、メモリーカード１０７は、ＳＤＲＡＭ１０６に記録されている記録用画像データを記録する。【選択図】図１
2007053574.tif 000002
【特許請求の範囲】
【請求項１】
被写体を撮像して記録用画像データを生成し、前記記録用画像データを記録可能な二次記録媒体を着脱可能または内蔵する撮像装置であって、
前記記録用画像データの生成を開始する旨を示すユーザーからの指示を受け付けるデータ生成指示手段と、
前記データ生成指示手段がユーザーからの指示を受け付けたとき、前記生成された記録用画像データを記録する一次記録媒体と、
前記一次記録媒体に記録された記録用画像データを示す画像を表示する表示手段と、
前記一次記録媒体に記録された記録用画像データを前記二次記録媒体に記録する旨を示すユーザーからの指示を受け付けるデータ記録指示手段と、を備え、
前記二次記録媒体は、前記データ記録指示手段でユーザーからの指示を受け付けたとき、前記一次記録媒体に記録されている記録用画像データを記録する、
撮像装置。
【請求項２】
前記データ生成指示手段と前記データ記録指示手段とは、同一のシャッターボタンで構成される、
請求項１に記載の撮像装置。
【請求項３】
前記シャッターボタンは、
半押しされることにより前記データ生成指示手段として機能し、
全押しされることにより前記データ記録指示手段として機能する、
請求項２に記載の撮像装置。
【請求項４】
前記一次記録媒体は、前記生成された記録用画像データを記録した後において、前記データ生成指示手段に対するユーザーからの指示が解除されると、前記記録している記録用画像データを削除しまたは上書き可能にする、
請求項１〜３のいずれかに記載の撮像装置。
【請求項５】
前記一次記録媒体に記録された記録用画像データは非圧縮データであり、
前記一次記録媒体に記録された記録用画像データを圧縮する圧縮手段をさらに備え、
前記二次記録媒体は、前記圧縮された記録用画像データを記録する、
請求項１〜４のいずれかに記載の撮像装置。
【請求項６】
前記一次記録媒体に記録された記録用画像データはヘッダを伴わないデータであり、
前記一次記録媒体に記録された記録用画像データにヘッダを付加して画像ファイルを生成するファイル生成手段をさらに備え、
前記二次記録媒体は前記生成された画像ファイルを記録する、
請求項１〜５のいずれかに記載の撮像装置。
【請求項７】
前記一次記録媒体に記録される記録用画像データまたは前記一次記録媒体に記録された記録用画像データについて縮小処理することによって、前記表示手段が表示する画像を生成する縮小画像処理手段をさらに備える、
請求項１〜６のいずれかに記載の撮像装置。
【請求項８】
被写体を撮像して画像データを生成し、
前記記録用画像データの生成を開始する旨を示すユーザーからの指示を受け付け、
前記データ生成指示手段がユーザーからの指示を受け付けたとき、前記生成された記録用画像データを一次記録媒体に記録し、
前記一次記録媒体に記録された記録用画像データを示す画像を表示し、
前記一次記録媒体に記録された記録用画像データを二次記録媒体に記録する旨を示すユーザーからの指示を受け付け、
前記データ記録指示手段でユーザーからの指示を受け付けたとき、前記一次記録媒体に記録されている記録用画像データを前記二次記録媒体に記録する、
記録用画像データの記録方法。
【発明の詳細な説明】
【技術分野】
【０００１】
本発明は、撮像画像データを記録媒体に記録する撮像装置に関し、特に、一旦撮像された画像データを最終的に記録媒体に残すかどうかを選択できる撮像装置に関する。
【背景技術】
【０００２】
近年、従来の塩銀フィルムにレンズを用いて結像させた光を感光させて画像を記録するアナログ方式のカメラに代わり、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子、被写体から反射されてきた光を撮像素子に結像させる為のレンズ群、撮像素子から得られた画像信号を記録保存するための記録媒体、撮像素子から得られている画像や記録媒体に保存されている画像を確認するためのＬＣＤ（Ｌｉｑｕｉｄ  Ｃｒｙｓｔａｌ  Ｄｉｓｐｌａｙ）等の画像表示装置から構成される画像記録装置、いわゆるデジタルカメラが知られている。
【０００３】
デジタルカメラは、撮像の失敗を恐れずに気軽に何度でも繰り返して撮像できるという利点を有する。このような利点を有するのは、画像をデータとして保持し、その画像データをいつでも確認し、必要に応じて消去できるからである。
【０００４】
従来、２段階に押下することが可能なシャッターボタンを備えるデジタルカメラが普及している。このボタンを軽く押し込み、１段階目までシャッターボタンが押下した状態（以下ハーフシャッターと呼ぶ）に操作することで、従来のデジタルカメラは、自動的に焦点を合せるオートフォーカス機能が働く。また、その状態から更に押し込み、２段階目までシャッターボタンが押下されている状態（以下フルシャッターと呼ぶ）に操作することで、デジタルカメラは、撮像処理を行い記録媒体に画像データを記録する。
【０００５】
ハーフシャッターの動作に関しては、これまでにも様々な発明がなされている。例えば、特許文献１には、ハーフシャッターの状態からシャッターボタンをリリースしても、オートフォーカス動作を解除しないようにする技術を開示している。この従来技術によれば、次の撮像を迅速に行うことができ、かつフォーカスレンズ駆動用サーボモータの消費電力を軽減できる。
【０００６】
また、特許文献２は、ハーフシャッター状態を一定時間以上継続することにより、記録媒体に記録された前回の撮像画像データを記録媒体から読み込んで画像表示装置に表示する技術を開示している。この従来技術によれば、撮像画像を比較的簡単に確認できる。
【特許文献１】特開２０００−１１５６１７号公報
【特許文献２】特開平０６−１５３０４６号公報
【発明の開示】
【発明が解決しようとする課題】
【０００７】
しかしながら、従来のデジタルカメラでは、一旦撮像された画像データは全て記録媒体に記録されるため、最終的に記録媒体に撮像画像を残すかどうかを選択するには、煩雑な操作を伴っていた。具体的には、例えば、直前に撮像された画像データを記録媒体に記録し、それを読み出して確認する。その後、ユーザーは、撮像画像を最終的に記録媒体に残さないと判断した場合、カメラの動作モードを再生モードに切り替え、更に専用消去ボタンや表示画面上の消去メニューを操作することによりこの撮像画像を消去する。
【０００８】
特許文献２に開示されたカメラにおいても、撮像画像を簡単に確認できるだけであり、一旦撮像された画像データを最終的に記録媒体に残すかどうかを選択するには、上記操作と同様の煩雑な操作が必要であった。
【０００９】
そこで、本発明は、一旦撮像された画像データを最終的に記録媒体に残すかどうかについて、簡単な操作で選択できる撮像装置を提供することを目的とする。
【課題を解決するための手段】
【００１０】
上記の目的を達成するために、本発明の撮像装置は、被写体を撮像して記録用画像データを生成し、記録用画像データを記録可能な二次記録媒体を着脱可能または内蔵し、データ生成指示手段と一次記録媒体と表示手段とデータ記録指示手段とを備える。データ生成指示手段は、記録用画像データの生成を開始する旨を示すユーザーからの指示を受け付ける。一次記録媒体は、データ生成指示手段がユーザーからの指示を受け付けたとき、生成された記録用画像データを記録する。表示手段は、一次記録媒体に記録された記録用画像データを示す画像を表示する。データ記録指示手段は、一次記録媒体に記録された記録用画像データを二次記録媒体に記録する旨を示すユーザーからの指示を受け付ける。また、二次記録媒体は、データ記録指示手段でユーザーからの指示を受け付けたとき、一次記録媒体に記録されている記録用画像データを記録する。
【００１１】
以上の構成により、簡単な操作で、撮像した画像が必要かどうかを確認でき、かつ二次記録媒体へ記録するかどうかを決定できる。
【００１２】
ここで、データ生成指示手段とデータ記録指示手段とは、同一のシャッターボタンで構成してもよい。このシャッターボタンは、半押しされることによりデータ生成指示手段として機能し、全押しされることによりデータ記録指示手段として機能するようにしてもよい。この構成により、少ない操作部材で、画像の撮像、確認および記録を行うことができる。
【００１３】
また、一次記録媒体は、生成された記録用画像データを記録した後において、データ生成指示手段に対するユーザーからの指示が解除されると、記録している記録用画像データを削除しまたは上書き可能にするようにしてもよい。この構成により、簡単な操作で一次記録媒体に記録した画像の消去を行うことができる。
【００１４】
また、一次記録媒体に記録された記録用画像データは非圧縮データであり、一次記録媒体に記録された記録用画像データを圧縮する圧縮手段をさらに備え、二次記録媒体は、圧縮された記録用画像データを記録するようにしてもよい。この構成により、一次記録記録に記録された画像を、解凍処理を施すことなく簡単に表示手段に表示できる。
【００１５】
また、一次記録媒体に記録された記録用画像データはヘッダを伴わないデータであり、一次記録媒体に記録された記録用画像データにヘッダを付加して画像ファイルを生成するファイル生成手段をさらに備え、二次記録媒体は生成された画像ファイルを記録するようにしてもよい。この構成により、一次記録媒体に記録する画像データに対してヘッダを付加する処理を行わないので、一次記録媒体への記録を迅速に行うことができる。
【００１６】
また、一次記録媒体に記録される記録用画像データまたは一次記録媒体に記録された記録用画像データについて縮小処理することによって、表示手段が表示する画像を生成する縮小画像処理手段をさらに備えるようにしてもよい。
【発明の効果】
【００１７】
以上のように本発明の撮像装置によれば、一旦撮像された画像データを最終的に記録媒体に残すかどうかについて、簡単な操作で選択できる。
【発明を実施するための最良の形態】
【００１８】
以下、本発明の実施の形態について図面を用いて説明する。
【００１９】
（実施の形態１）
１．構成
図１は、本発明の実施の形態１にかかるデジタルカメラ１の構成を示すブロック図である。デジタルカメラ１は、レンズ１００およびＣＣＤイメージセンサ１０１を介して画像データを生成する。生成された画像データは、ＤＳＰ１０２で処理され、マイコン１０８の制御により、ＬＣＤ１０５に表示され、またＳＤＲＡＭ１０６に記憶される。そして、ＳＤＲＡＭ１０６に記憶された画像データは、シャッターボタン１０４で受け付けたユーザーによる指示に応じて、メモリーカード１０７に最終的に記憶される。
【００２０】
レンズ１００は、入射された光をＣＣＤ１０１上に結像する。ＣＣＤ１０１は、レンズ１００によって結像された２次元画像を電気信号に変換して画像データを生成する撮像素子である。ＤＳＰ（Ｄｉｇｉｔａｌ  Ｓｉｇｎａｌ  Ｐｒｏｃｅｓｓｏｒ）１０２は、ＣＣＤ１０１から出力される画像データに対して、ＹＣ変換処理や解像度変換処理、圧縮処理等を施す画像処理手段である。ＤＳＰ１０２は縮小画像処理手段を含む。縮小画像処理手段は、ＳＤＲＡＭ１０６に記録される記録用画像データまたはＳＤＲＡＭ１０６に記録された記録用画像データについて縮小処理することによって、ＬＣＤ１０５が表示する画像を生成する。操作スイッチ１０３は、電源スイッチやモードスイッチ等、使用者が本発明のデジタルカメラを操作するのに必要な一つ以上の操作部材で構成されている。
【００２１】
シャッターボタン１０４は、２段階に押下可能であり、リリース状態、ハーフシャッター状態およびフルシャッター状態のいずれかに遷移可能である。ここで、リリース状態とは、シャッターボタン１０４を押下していない状態である。また、ハーフシャッター状態は半押し状態ともいい、フルシャッター状態は全押し状態ともいう。ハーフシャッター状態において、シャッターボタン１０４は、ＣＣＤ１０１およびＤＳＰ１０２における記録用画像データの生成を開始する旨を示すユーザーからの指示を受け付ける。フルシャッター状態において、シャッターボタン１０４は、ＳＤＲＡＭ１０６に記録された記録用画像データをメモリーカード１０７に記録する旨を示すユーザーからの指示を受け付ける。
【００２２】
ＬＣＤ１０５は、撮像された画像データを目に見える形で表示する表示手段である。ＬＣＤ１０５は、ＳＤＲＡＭ１０６に記録された記録用画像データを示す画像も表示する。
【００２３】
ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１０６は、画像データを一時的に記録しておくために必要十分な容量を持ち、かつ高速に読み書きが可能な揮発性の一次記録媒体である。ＳＤＲＡＭ１０６は、シャッターボタン１０４がハーフシャッター状態になると、ＣＣＤ１０１およびＤＳＰ１０２で生成された記録用画像データを記録する。
【００２４】
メモリーカード１０７は、画像データを複数枚数分記録するのに必要十分な容量を持ち、デジタルカメラの電源がＯＦＦされ外部からの電源供給が無い状態であっても画像データを保持し続けておくことが可能な不揮発性の二次記録媒体である。メモリーカード１０７は、デジタルカメラ１に着脱可能である。メモリーカード１０７は、シャッターボタン１０４がフルシャッター状態になると、ＳＤＲＡＭ１０６に記録されている記録用画像データを記録する。
【００２５】
マイコン１０８は、操作スイッチ１０３やシャッターボタン１０４からの信号にしたがって、デジタルカメラ１の動作全般を制御する。例えば、ＤＳＰ１０２によって生成された画像データをＳＤＲＡＭ１０６に書き込む制御、ＳＤＲＡＭ１０６に記憶された画像データをメモリーカード１０７に書き込む制御、ＤＳＰ１０２で生成された画像データやＳＤＲＡＭ１０６やメモリーカード１０７に記憶された画像データをＬＣＤ１０５に表示する制御等を行う。
【００２６】
なお、デジタルカメラ１は本発明の撮像装置の一例である。シャッターボタン１０４は、本発明のデータ生成指示手段の一例であるとともに、本発明のデータ記録指示手段の一例である。ＳＤＲＡＭ１０６は本発明の一次記録媒体の一例である。メモリーカード１０７は本発明の二次記録媒体の一例である。ＬＣＤ１０５は本発明の表示手段の一例である。ＤＳＰ１０２は内部に本発明の縮小画像処理手段を含む。
【００２７】
２．動作の説明
上記のように構成された本発明の実施の形態１にかかるデジタルカメラ１の動作例について、図２を参照しながら説明する。デジタルカメラ１は、スルー画像の表示、ＳＤＲＡＭへの記録、ＳＤＲＡＭ内の画像データの表示、ＳＤＲＡＭ内の画像データの破棄およびメモリーカードへの記録を行う。以下、各動作について分説する。
【００２８】
２−１．スルー画像の表示
デジタルカメラ１は、シャッターボタン１０４が押下されるまでは、ＣＣＤ１０１で撮像した画像をメモリーカード１０７に記録することなくＬＣＤ１０５に表示する（Ｓ１〜Ｓ３）。この表示される画像をスルー画像という。また、このモードを、ＥＥモードやモニタモード等という。このモードを記録画像撮像の前に駆動することにより、使用者は、記録画像のための画角や構図を自由に決められる。以下、スルー画像の表示について詳細に説明する。
【００２９】
まず、ＤＳＰ１０２は、ＣＣＤ１０１から１画面分のモニタ用の画像データを取得する（Ｓ１）。ＣＣＤ１０１から直接得られる画像データは、例えば、ＲＧＢ信号であるが、これには限らない。例えば補色系の画像信号であってもよい。また、ＣＣＤ１０１から直接得られる画像データは、アナログ信号であってよくデジタル信号であってもよい。ＣＣＤ１０１から直接得られる画像データは、アナログ信号の場合、ＤＳＰ１０２に入力する前にＡＤ変換する。本明細書では、ＣＣＤ１０１から直接得られる画像データやＡＤ変換された画像データを、ＤＳＰ１０２でＹＣ変換等の処理がなされた画像データと区別するため、ＲＡＷデータという。
【００３０】
次に、ＤＳＰ１０２は、ＣＣＤ１０１またはＡＤコンバータ（図示省略）から得たＲＡＷデータをＹＣデータ形式に変換する（Ｓ２）。このＹＣデータ形式の画像データは、ＬＣＤ１０５に表示可能である。ＤＳＰ１０２でＹＣデータ形式に変換された画像データは、ただちにＬＣＤ１０５に表示される。
【００３１】
次に、マイコン１０８は、シャッターボタン１０４が半押しされるかどうかを監視する（Ｓ４）。そして、シャッターボタン１０４が半押しされるまで、ステップＳ１〜Ｓ４からなるループ状の動作を繰り返す。これにより、使用者は、ＣＣＤ１０１から得られる画像を動画像として視認できる。
【００３２】
ここで、モニタ用ＲＡＷデータやモニタ用ＹＣデータは、記録用ＲＡＷデータや記録用ＹＣデータよりも容量が小さい画像データである。記録用ＲＡＷデータはＣＣＤで生成した画像データの全画素数分を読み出した画像データであるのに対して、モニタ用ＲＡＷデータはＣＣＤで生成した画像データの一部を読み出した画像データだからである。モニタ用ＲＡＷデータおよびモニタ用ＹＣデータの容量を小さくするのは、容量の大きな画像データをＬＣＤ１０５に表示させようとすると、ＤＳＰ１０２の処理速度やＳＤＲＡＭ１０６の動作速度が不足し、その結果動画像として認識されうる周期でＬＣＤ１０５に表示更新できなくなってしまうからである。特に、近年ＣＣＤ１０１の高画素化が進んできたため、全画素数分の画像データの処理には、長時間を要するようになってきている。なお、本明細書では、スルー画像としてＬＣＤ１０５に表示させるためのＲＡＷデータ、ＹＣデータをそれぞれモニタ用ＲＡＷデータ、モニタ用ＹＣデータといい、記録画像を生成するためのＲＡＷデータ、ＹＣデータをそれぞれ記録用ＲＡＷデータ、記録用ＹＣデータということにより、両者を区別して使用する。
【００３３】
２−２．ＳＤＲＡＭへの記録とＳＤＲＡＭ内の画像データの表示
デジタルカメラ１は、スルー画像表示中にシャッターボタン１０４が半押しされると、記録用画像を生成し、ＳＤＲＡＭ１０６に一時的に保持し、保持した画像をＬＣＤ１０５に表示する。この一時保持と表示は、シャッターボタン１０４が全押しされるか、半押しが解除されるまで続行する。以下、記録画像の一時記録と表示について詳細に説明する。
【００３４】
シャッターボタン１０４が半押しされると、マイコン１０８はそれを検知し、ステップＳ５に移行して、ＳＤＲＡＭ１０６に表示用ＹＣデータが記憶されているかどうかを判定する（Ｓ５）。ここで、表示用ＹＣデータとは、ハーフシャッターが全押しされるか、半押しが解除されるまでの期間中にＬＣＤ１０５に表示される画像データの事であり、ＤＳＰ１０２が備える縮小画像処理手段によって、記録用ＹＣデータをＬＣＤ１０５の解像度に合せて縮小することにより生成される。デジタルカメラ１の使用者は、ＬＣＤ１０５に表示された画像を確認する事により、メモリーカード１０７に最終保存するかどうかを判断する事が出来る。
【００３５】
ハーフシャッター状態が検知された直後は、ＳＤＲＡＭ１０６は表示用ＹＣデータを記憶していないので、マイコン１０８は、ステップＳ５でＮｏと判定し、ステップＳ６に移行する。一方、マイコン１０８がハーフシャッター状態を検知して暫く経つと、ＳＤＲＡＭ１０６は表示用ＹＣデータを記憶しているので、マイコン１０８は、ステップＳ５でＹｅｓと判定し、ステップＳ９に移行する。
【００３６】
ステップＳ６において、マイコン１０８は、ＣＣＤ１０１の全画素数分のＲＡＷデータ、すなわち記録用ＲＡＷデータを読み出し、ＤＳＰ１０２へ入力する。ハーフシャッターが押されるまでは、前述したようにモニタモードで動作させるためサイズの小さなモニタ用ＲＡＷデータを使用していたが、ハーフシャッターが押された場合にはメモリーカード１０７に写真ファイルとして正式な画像データを記録する可能性に備えて、ＣＣＤ１０１が本来出力する全画素数分のＲＡＷデータを取得する。
【００３７】
次に、ＤＳＰ１０２は、入力された記録用ＲＡＷデータから記録用ＹＣデータおよび表示用ＹＣデータを生成し、それらをＳＤＲＡＭ１０６に記録する（Ｓ７、Ｓ８）。その後で、マイコン１０８は、ＳＤＲＡＭ１０６に一時保持された表示用ＹＣデータを用いて、ＬＣＤ１０５の表示を更新する（Ｓ９）。
【００３８】
次に、マイコン１０８は、シャッターボタン１０４が全押しされるかどうかを監視する（Ｓ１０）。シャッターボタン１０４が全押しされなければ、マイコン１０８は、ステップＳ４に戻る。このとき、ステップＳ５では、既にＳＤＲＡＭ１０６が表示用ＹＣデータを保持しているため、マイコン１０８はＹｅｓと判断してステップＳ９に移行する。
【００３９】
こうして、マイコン１０８は、シャッターボタン１０４が全押しされるかどうかについて監視（Ｓ１０）およびハーフシャッター状態が解除されるかどうかの監視（Ｓ４）を続け、この間、ステップＳ４、Ｓ５、Ｓ９およびＳ１０からなるループ状の動作を繰り返す。これにより、使用者は、ハーフシャッターによりＳＤＲＡＭ１０６に一時保持した画像をＬＣＤ１０５に表示することにより確認できる。この間、ＬＣＤ１０５に表示される画像は変化しない。
【００４０】
２−３．ＳＤＲＡＭ内の画像データの破棄
ＳＤＲＡＭ１０６に一時保持した画像を表示中に、使用者がシャッターボタン１０４の半押し状態を解除した場合、マイコン１０８はハーフシャッターが解除されたことを検知して（ステップＳ４におけるＮｏ）、ステップＳ１５に移行する。ステップＳ１５において、ＳＤＲＡＭ１０６に表示用ＹＣデータが記録されていれば、ＳＤＲＡＭ１０６内の表示用ＹＣデータを破棄し（Ｓ１４）、記録用ＹＣデータも破棄する（Ｓ１３）。そして、マイコン１０８は、ステップＳ１のハーフシャッター押下以前のモニタモードへと戻る。一方、ステップＳ１５において、ＳＤＲＡＭ１０６に表示用ＹＣデータが記録されていなければ、元々ＳＤＲＡＭ１０６には表示用ＹＣデータも記録用ＹＣデータも保持されていないので、マイコン１０８は、そのままステップＳ１に戻る。ここで、表示用ＹＣデータや記録用ＹＣデータの破棄とは、表示用ＹＣデータや記録用ＹＣデータを削除しまたは上書き可能にすることをいう。
【００４１】
２−５．メモリーカードへの記録
最後に、ハーフシャッター状態からフルシャッターが押下された場合の動作について説明する。ハーフシャッター状態継続中、マイコン１０８は、フルシャッターが押下されたかどうかを監視する。そして、フルシャッターが押下されると、ＤＳＰ１０２は、ＳＤＲＡＭ１０６に保持されている記録用ＹＣデータをＪＰＥＧ（Ｊｏｉｎｔ  Ｐｈｏｔｏｇｒａｐｈｉｃ  Ｅｘｐｅｒｔｓ  Ｇｒｏｕｐ）圧縮する（Ｓ１１）。その後、マイコン１０８は、サムネイル画像を含むヘッダを圧縮後の画像データに付加して、ＪＰＥＧ形式の画像ファイルを生成し、これをメモリーカード１０７に保存する。以上で、1枚の写真の撮像を完了する。
【００４２】
なお、本実施の形態では撮像素子としてＣＣＤ１０１を用いたが、これには限らない。例えばＣＭＯＳセンサーなどを用いても良い。ＣＭＯＳセンサーを用いれば消費電力を低減させることができる。
【００４３】
また、本実施の形態では表示装置としてＬＣＤ１０５を用いたが、これには限らない。例えば有機ＥＬディスプレイを用いてもよく、ＣＲＴなどを用いても良い。有機ＥＬディスプレイを用いれば消費電力を低減させることができる。ＣＲＴを用いれば輝度を明るくすることができる。
【００４４】
また、本実施の形態では一次記録媒体としてＳＤＲＡＭ１０６を用いたが、これには限らない。例えばＳＲＡＭ（Ｓｔａｔｉｃ  Ｒａｎｄｏｍ  Ａｃｃｅｓｓ  Ｍｅｍｏｒｙ）やＤＤＲ−ＳＤＲＡＭ（Ｄｏｕｂｌｅ  Ｄａｔａ  Ｒａｔｅ  ＳＤＲＡＭ）などでも良い。ＳＲＡＭやＤＤＲ−ＳＤＲＡＭを用いれば、記録媒体上のデータの読み書きを高速に行うことができる。また、一次記録媒体としてフラッシュメモリ等の不揮発性メモリを用いてもよい。
【００４５】
また、本実施の形態では二次記録媒体としてメモリーカード１０７を用いたが、これには限らない。例えばＳＲＡＭやＤＲＡＭのような揮発性のメモリを用いても良く、またフラッシュメモリやＦｅＲＡＭ（Ｆｅｒｒｏｅｌｅｃｔｒｉｃ  Ｒａｎｄｏｍ  Ａｃｃｅｓｓ  Ｍｅｍｏｒｙ）のような不揮発性の装置内蔵メモリを用いても良く、あるいはフロッピー（登録商標）ディスクやハードディスクのような磁気記録媒体などを用いても良い。揮発性のメモリであれば、装置の電源が切られるまでは画像データを保存しておく事が出来、その読み書き速度は他のどの種類のメモリよりも高速である。この場合、カメラ本体の電源を切った後でも、データを保持するために、メモリーカード内にバックアップ電源を格納するのが好ましい。また、不揮発性の装置内蔵メモリであれば、メモリーカードが無い状態でも画像データを保存することが出来る。あるいはハードディスクのような磁気記録媒体であれば、安価で大容量な記録媒体として利用することができる。
【００４６】
また、本実施の形態では一次記録媒体と二次記録媒体は異なる種類の記録媒体として明確に区別したが、これには限らない。一次記録媒体と二次記録媒体に同じ種類の記録媒体を用いても良い。あるいは一つの記録媒体を一次記録と二次記録に使用しても良い。一つの記録媒体を一次記録と二次記録に使用することにより、装置のコストを安くすることが出来る。
【００４７】
また、本実施の形態ではマイコン１０８とは別にＤＳＰ１０２を別途利用して、ＲＡＷデータからＹＣデータを生成する為の信号処理やＹＣデータをＪＰＥＧ圧縮する為の信号処理を行うものとしたが、ＤＳＰ１０２を用いずにマイコン１０８のみでこれらの信号処理を行っても良い。ＤＳＰを用いない事により、処理速度は遅くなるが装置のコストを安くすることが出来る。
【００４８】
また、本実施の形態ではＡＦ（Ａｕｔｏ  Ｆｏｃｕｓ）制御やＡＥ（Ａｕｔｏ  Ｅｘｐｏｓｕｒｅ）制御など、デジタルカメラで通常行われる画質改善の為の処理については省略したが、これらの処理を行うようにしても良い。例えば図２においてステップＳ５とステップＳ６の間でＡＦ制御やＡＥ制御を行うようにすれば、現在のデジタルカメラで標準的な操作となっている、ハーフシャッターでピントが合うという操作形態を損なう事無く、本発明を実施することが出来る。またはシャッターボタンとは別のボタンを一つ乃至複数用意して、このボタンにＡＦ機能やＡＥ機能を割り当てるようにすれば、撮像前にピントを任意の位置に合せてから撮像する、いわゆる置きピン撮像が可能となる。
【００４９】
また、本実施の形態ではＲＡＷデータをＹＣデータに変換して扱うとしたが、これに限らない。ＹＣデータ形式は、ＲＡＷデータが持つＲ（赤成分）、Ｇ（緑成分）、Ｂ（青成分）の３つの信号を輝度信号（Ｙ）と色差信号（Ｃ）に変換した形式であって、ＪＰＥＧ圧縮後の符号量がより小さくなり、またＬＣＤに画像を表示する際に利用しやすい形式である為によく利用されるが、例えばＲＡＷデータが持つＲＧＢデータをそのまま扱うようにしても良く、またはＹＣ形式とは全く別の形式に変換して扱っても良い。
【００５０】
また、本実施の形態ではＹＣデータをＪＰＥＧデータに変換してからメモリーカード１０７へ記録するとしたが、ＣＣＤ１０１から得られた記録用ＲＡＷデータをそのままメモリーカード１０７へ記録しても良く、ＴＩＦＦ（Ｔａｇｇｅｄ  Ｉｍａｇｅ  Ｆｉｌｅ  Ｆｏｒｍａｔ）等の別のデータ形式に変換してからメモリーカード１０７へ記録してもよい。
【産業上の利用可能性】
【００５１】
本発明の撮像装置及び記録用画像データの記録方法によれば、ユーザーは簡単な操作で撮像、確認等を行うことができるので、撮像した画像を確認できる撮像装置に適用可能である。例えば、デジタルスチルカメラやカメラ機能付き携帯電話端末等に適用可能である。また、動画も確認するようにすることにより、ムービー等の動画撮像装置にも適用可能である。
【図面の簡単な説明】
【００５２】
【図１】本発明の実施の形態におけるデジタルカメラの構成を示すブロック図
【図２】本発明の実施の形態におけるデジタルカメラの動作を説明するためのフローチャート
【符号の説明】
【００５３】
１    デジタルカメラ
１００    レンズ
１０１    ＣＣＤ
１０２    ＤＳＰ
１０３    操作スイッチ
１０４    シャッターボタン
１０５    ＬＣＤ
１０６    ＳＤＲＡＭ
１０７    メモリーカード
１０８    マイコン
【図１】
2007053574.tif 000003
【図２】
2007053574.tif 000004